(57)【要約】【課題】  藁等の乾燥植物を利用して高い断熱性や独特の風合いなど特性を活かした建築用ブロックと、この建築用ブロックを用いた屋根と壁並びにそれらの構築方法を提供することである。【解決手段】  略直方体状に乾燥植物を形成させた本体部２と、この本体部２に覆設される防水部３と、本体部２の上面に固定され高さが異なる少なくとも２本の桟部４，５，６とを有し、さらに、本体部２の底面に敷設される膜部と、本体部２の２組の側面のうち、少なくとも１組の側面を覆う枠体部を備えるものである。【選択図】  図１
2005188198.tif 000002
【特許請求の範囲】
【請求項１】
略直方体状に乾燥植物を形成させた本体部と、この本体部に覆設される防水部と、前記本体部の上面に固定され高さが異なる少なくとも２本の桟部とを有することを特徴とする建築用ブロック。
【請求項２】
前記本体部の底面に敷設される膜部を有することを特徴とする請求項１記載の建築用ブロック。
【請求項３】
前記本体部の２組の側面のうち、少なくとも１組の側面を覆う枠体部を備えることを特徴とする請求項１又は請求項２に記載の建築用ブロック。
【請求項４】
複数の梁材と、この複数の梁材に垂直に渡設される複数の垂木と、複数の請求項１乃至請求項３のいずれか１項に記載された建築用ブロックと、この建築用ブロックを前記垂木に固設する固定具と、前記複数の建築用ブロックの上面に覆設される屋根表部とを有することを特徴とする屋根。
【請求項５】
梁材と、複数の請求項１乃至請求項３のいずれか１項に記載された建築用ブロックと、この建築用ブロックを前記梁材に吊設する吊り具と、前記複数の建築用ブロックの側面に覆設される壁表部とを有することを特徴とする壁。
【請求項６】
略直方体状に乾燥植物を形成させて防水部を覆設しその上に桟部を設けて建築用ブロックを作成する工程と、この建築用ブロックを支持する垂木を建築物の梁材に設置する工程と、この垂木に前記建築用ブロックを並べて固設する工程と、前記桟部に屋根表部を固定して前記建築用ブロックを覆う工程とを有することを特徴とする屋根構築方法。
【請求項７】
略直方体状に乾燥植物を形成させて防水部を覆設しその上に桟部を設けて建築用ブロックを作成する工程と、この建築用ブロックを支持する梁材を建築物に設置する工程と、この梁材に前記建築用ブロックを積み重ねて吊設する工程と、前記桟部に壁表部を固定して前記建築用ブロックを覆う工程とを有することを特徴とする壁構築方法。
【発明の詳細な説明】
【技術分野】
【０００１】
本発明は、建築用ブロックとこの建築用ブロックを用いた屋根と壁並びにそれらの構築方法に係わり、特に、安価で断熱効率が高く環境面に配慮した建築用ブロックとこの建築用ブロックを用いた屋根と壁並びにそれらの構築方法に関する。
【背景技術】
【０００２】
一般に、藁葺屋根や茅葺屋根は、夏涼しく冬暖かい断熱性の優れた屋根として古くから日本において広く用いられてきた。しかしながら、これらの藁葺屋根や茅葺屋根は、２０年から３０年の耐久年数が過ぎると葺き替えを行う必要があり、葺き替え費用が嵩むことや、生活様式や社会の変化とともに、急速に姿を消しつつあるのが現状である。一方で、日本古来の伝統を残すために葺き替え費用を低減したり葺き替え作業を簡便にしたりする手法が考えられたり、また、藁等を利用して自然と同調するような建築材料が提案されている。
【０００３】
例えば、特許文献１には、積層される茅によって形成される茅葺屋根において、茅の肉厚方向の途中に通気性及び防水性のある通気防水層を設けた茅葺屋根が開示されている。
この特許文献１に開示された発明では、設置される通気防水層より下層には雨水等が浸透しないので、茅の傷みが少なく、茅葺屋根の耐久年数を長くすることが可能である。また、通気防水層より外側の茅を薄くすると、雨水等は短時間のうちに通気防水層上を流れ落ちるので、屋根を早く乾燥させることができる。さらに、通気防水層は防水だけでなく通気作用があるので、従来の茅葺屋根の長所を損なうことなく、屋内の湿気を外部に排出することが可能である。
【０００４】
また、特許文献２には、コンクリートブロックの表面に植物の育成を促進する植物育成基盤層が設けられた土木用ブロックや、コンクリートブロックを台座としてこの台座の上面に土を主成分とし藁等の植物繊維を含有した土固形化物を含む植物育成基盤層が設けられた土木用ブロックが開示されている。
この特許文献２に開示された発明では、重量物であるコンクリートブロックが施工面を覆って護岸や護床等の機能を発揮し、そして、コンクリートブロックの上面に設置される植物育成基盤層では植物が育成されるので、景観だけでなく動植物の生息環境を作り出し、周囲の自然環境との調和をとることができる。
また、植物育成基盤層は、土を主成分とし藁等の植物繊維を含有しているので、土の風合いにより景観を一層良くし、植物繊維により土固形物内の保水性を高めることができる。特に、藁を用いると藁の保有通路等を利用して保水機能が強化される。
【０００５】
しかしながら、特許文献１に記載された従来の技術では、確かに、従来の茅葺屋根と外観及び特性が同等の屋根を低コストで構築し、しかも耐久寿命を長くすることができるが、茅を積載して構築する方法なので、施工に時間を要し、また、作業上の安全性が劣るという課題があった。さらに、難燃性でないので、屋根不燃の指定を受けている地域では建築基準法により使用できないという課題もあった。
【０００６】
一方、特許文献２に記載された従来の技術では、藁等の植物や土を含む植物育成基盤層をコンクリートブロックに設置し、この植物育成基盤層において植物を育成することにより、自然環境に調和する土木用ブロックを提供することができるが、屋外での使用は可能なものの建築物の構造材のように防水性が必要となる用途への展開は不可能であるという課題があった。
【特許文献１】特開平１０−３０６５５４号公報
【特許文献２】特開２００３−１７６５２２号公報
【発明の開示】
【発明が解決しようとする課題】
【０００７】
本発明はかかる従来の事情に対処してなされたものであり、藁等の乾燥植物を利用してその高い断熱性や独特の風合いなど特性を活かした建築用ブロックと、この建築用ブロックを用いた屋根と壁並びにそれらの構築方法を提供することを目的とする。
【課題を解決するための手段】
【０００８】
上記目的を達成するため、請求項１記載の発明である建築用ブロックは、略直方体状に乾燥植物を形成させた本体部と、この本体部に覆設される防水部と、本体部の上面に固定され高さが異なる少なくとも２本の桟部とを有するものである。
上記構成の建築用ブロックでは、乾燥植物から形成される本体部は防水部が覆設されることによって防水され、さらに、本体部の上面には高さの異なる２本の桟部によって勾配が形成されるという作用を有する。
【０００９】
また、請求項２に記載の発明である建築用ブロックは、請求項１記載の建築用ブロックにおいて、本体部の底面に敷設される膜部を有するものであり、膜部によって本体部の乾燥植物が飛散しないという作用を有する。
【００１０】
さらに、請求項３の発明である建築用ブロックは、請求項１又は請求項２に記載の建築用ブロックにおいて、本体部の２組の側面のうち、少なくとも１組の側面を覆う枠体部を備えるものであり、本体部は枠体部に支持されるという作用を有する。
【００１１】
請求項４の発明である屋根は、複数の梁材と、この複数の梁材に垂直に渡設される複数の垂木と、複数の請求項１乃至請求項３のいずれか１項に記載された建築用ブロックと、この建築用ブロックを垂木に固設する固定具と、複数の建築用ブロックの上面に覆設される屋根表部とを有するものである。
上記構成の屋根は、建築物の梁材に渡設される垂木に固定される請求項１乃至請求項３のいずれか１項に記載された建築用ブロックの上面に屋根表部を有するもので、防水、断熱及び遮音等の作用を有する。
【００１２】
請求項５の発明である壁は、梁材と、複数の請求項１乃至請求項３のいずれか１項に記載された建築用ブロックと、この建築用ブロックを梁材に吊設する吊り具と、複数の建築用ブロックの側面に覆設される壁表部とを有するものである。
上記構成の壁は、建築物の梁材に吊設される請求項１乃至請求項３のいずれか１項に記載された建築用ブロックの側面に壁表部を有するもので、防水、断熱及び遮音等の作用を有する。
【００１３】
請求項６の発明である屋根構築方法は、略直方体状に乾燥植物を形成させて防水部を覆設しその上に桟部を設けて建築用ブロックを作成する工程と、この建築用ブロックを支持する垂木を建築物の梁材に設置する工程と、この垂木に建築用ブロックを並べて固設する工程と、桟部に屋根表部を固定して建築用ブロックを覆う工程とを有するものである。
上記構成の屋根構築方法は、防水、断熱及び遮音等に優れた屋根を安全かつ迅速に構築するという作用を有する。
【００１４】
請求項７の発明である壁構築方法は、略直方体状に乾燥植物を形成させて防水部を覆設しその上に桟部を設けて建築用ブロックを作成する工程と、この建築用ブロックを支持する梁材を建築物に設置する工程と、この梁材に建築用ブロックを積み重ねて吊設する工程と、桟部に壁表部を固定して建築用ブロックを覆う工程とを有するものである。
上記構成の壁構築方法は、防水、断熱及び遮音等に優れた壁を安全かつ迅速に構築するという作用を有する。
【発明の効果】
【００１５】
本発明の請求項１乃至請求項３に記載の建築用ブロックは、防水性、断熱性及び遮音性に優れ、特に、乾燥植物によって吸湿性も優れた建築材料となる。また、自然から提供される乾燥植物を使用するので環境面における配慮がなされる上に建築物に自然の風合いを与え、しかも安価で簡単に作成することができる。
【００１６】
また、本発明の請求項４に記載の屋根及び本発明の請求項５に記載の壁は、請求項１乃至請求項３に記載の建築用ブロックを使用するので、防水性、断熱性、遮音性及び吸湿性に優れ、自然の風合いを保有する屋根及び壁を形成することができる。また、複数の建築用ブロックを使用するので、老朽化した部分のみを交換することができるのでメンテナンスが容易でかつ安価で行うことができる。
【００１７】
そして、本発明の請求項６に記載の屋根構築方法及び本発明の請求項７に記載の壁構築方法は、請求項１乃至請求項３に記載の建築用ブロックを下段より順次積載して構築するので、安全性が高く、また、作業が簡単で工期を短くすることができる。
【発明を実施するための最良の形態】
【００１８】
本発明の請求項１乃至請求項３に記載の建築用ブロックは、自然から供給される乾燥植物を主材料として安価で高品質の建築材料を提供し、また、この建築用ブロックを使用した本発明の請求項４に記載の屋根及び本発明の請求項５に記載の壁は、乾燥植物の特性を活かした屋根及び壁を設計することを実現した。
そして、本発明の請求項６に記載の屋根構築方法及び本発明の請求項７に記載の壁構築方法においては、建築用ブロックを作成して手際よく施工することで工期を短縮した。
【実施例１】
【００１９】
まず、本発明の実施の最良の形態に係る建築用ブロックを屋根材として使用する実施例１を図１乃至図９を参照しながら説明する。（特に、請求項１乃至請求項４に対応）
図１は、本発明の本実施例に係る屋根用ブロックの外形図である。
図１において、屋根用ブロック１は、略直方体状に固められたあるいは束ねられた藁を本体とし、この藁本体２の少なくとも上面と前面にアスファルトルーフィング３が被覆され、そして、上面には第１の桟木４、第２の桟木５及び第３の桟木６が桟木用フックボルト７によって設置されている。また、屋根用ブロック１の背面側には、屋根用ブロック１を建築物の梁に設置された垂木に繋止するピアノ線８が二ヶ所に設けられている。
【００２０】
本実施例における屋根用ブロック１では、藁本体２が厚く設計されているので、断熱効果が高く、屋根に使用すると室内は外気の影響を受けにくい。すなわち、夏は涼しく、冬は暖かく、住人は季節を通して快適な生活を送ることができる。
また、同じく藁本体２の肉厚によって、遮音性が優れており、風雨など外部から騒音を小さくしたり、内部からの生活音を外部に漏らさないようにすることができる。
さらに、藁本体２の底面を建築物の天井として居住スペース側に露出するように設置すると、藁による吸湿効果が期待でき、室内の湿気を吸収することができると同時に自然の風合いを室内から感じることができる。
そして、藁本体２に難燃性の塗料等を塗布すると、防火性が向上させることもできる。
なお、藁本体２は耐久性のあるピアノ線等を用いて束ねて略直方体状に固めるとよいが、固形剤等を用いて固めてもよく、形状や大きさは特に限定されるものではない。
また、本体には藁以外にも茅等の乾燥植物を用いることができ、例えば、ポプリ等の芳香のある乾燥植物を含有させると、室内においてほのかな香りを楽しむことができる。さらに、木炭や竹炭等の炭を含有させて調湿効果を付加することも可能である。
【００２１】
アスファルトルーフィング３は、高い防水性を有する材料であり、藁本体２を被覆することにより、雨水等を藁本体２に浸透させず藁本体２が腐ったり脆化を防止するとともに、建築物の室内への漏水を防止するものである。
なお、本実施例においては、雨水等の水の流路となる上面と前面の二面にアスファルトルーフィング３を被覆するだけで十分な防水性を得ることができ、しかも、アスファルトルーフィング３の使用量を少なくすることで原材料費を抑え、安価となる。但し、アスファルトルーフィング３の被覆面は特に限定されるものではなく、藁本体２の全面を被覆すると防水効果が高くなることは言うまでもない。また、アスファルトルーフィング３に代えて防水性のある材料を使用することもできる。
【００２２】
また、第１の桟木４、第２の桟木５及び第３の桟木６は高さが異なった断面が長方形の直方体状の木材である。各々の桟木の高さは、第１の桟木４が最も高く、第２の桟木５、第３の桟木６と順次低くなっており、屋根用ブロック１の前面側に近づくほど徐々に低くなる構造を有している。これらの桟木は、その上面に設置される後述の屋根表板に勾配を形成し、屋根表板に滴下する雨水等の水を勾配の低い方、すなわち、建築物の軒側へ導水する役割を担っている。
なお、本実施例においては、桟木は３本設置されているが、勾配を形成できれば、設置数は特に限定されるものではない。また、形状についても特に限定されず、例えば、手前と奥側の高さを変えた断面が台形状或いは四角形状であってもよい。但し、断面が三角形状や円状であってもよいが、覆設される屋根表板を支持する強度を考慮すると四角形状の方が好ましい。そして、使用する材料は木材以外にも耐久性のある合成樹脂等を用いることができ、材料も限定されない。
【００２３】
次に、屋根用ブロックの詳細の構造について図２を用いて説明する。
図２（ａ）は、本実施例に係る屋根用ブロックの上面図であり、（ｂ）は、同じく屋根用ブロックの断面図である。
図２（ａ）において、屋根用ブロック１の上面には、前面側の端部に沿って第３の桟木６が設置され、そして、この第３の桟木６に平行に第２の桟木５及び第１の桟木４が配置され、各々桟木用フックボルト７で固定されている。また、屋根用ブロック１の背面側には、２本のピアノ線用フックボルト９が挿入されている。なお、本図には示していないが、図１に示したピアノ線８がこのピアノ線用フックボルト９で留められているのである。
一方、図２（ｂ）において、屋根用ブロック１の断面をみると、藁本体２の上面と前面にアスファルトルーフィング３が被覆され、そして、上面には、三本の桟木が桟木用フックボルト７によって固設されている。なお、桟木用フックボルト７は先端が鉤状になっており、先端の鉤部分が藁本体２の繊維に掛止することにより桟木を固定する構造になっている。また、三本の桟木はそれぞれ高さが異なっており、屋根用ブロック１の前面になるほど低くなっていることがわかる。
また、ピアノ線用フックボルト９も先端が鉤状になっており、桟木用フックボルト７と同様に、先端の鉤部分が藁本体２の繊維に掛止することによりピアノ線を固定している。
【００２４】
続いて、屋根用ブロックの枠体について図３を用いて説明する。
図３は、本実施例に係る屋根用ブロックの枠体の外形図である。
図３において、枠体１０は、対向する一対の側面カバー１１と、この一対の側面カバー１１に渡設されるバンド１２及びバンド釣子１３と、一対の側面カバー１１の底面に敷設されるネット１６から構成されており、前述の屋根用ブロックを内部に収納できるようになっている。
本実施例における屋根用ブロックの枠体１０は主に屋根用ブロックを建築物に固定するための部材であり、バンド１２には、枠体１０を建築物の垂木に固定するための連結孔１４が複数個設けられ、また、バンド釣子１３には屋根表板とはぜつぎ（はぜ掛けともいう。）するためのフック１５が二ヶ所に設けられている。
また、膜部として設置されるネット１６は、例えば、カンレイシャ等の通気性のある材料であり、枠体１０の内部に収納される屋根用ブロックの藁本体の藁が落下しないようにするものである。さらに、ネット１６に通気性のある材料を選定すると、藁の芳香や吸湿効果を得ることができる。但し、藁の質感を感じることができれば、通気性がないものでもよく、例えば、透明なフイルム等を使用することもできる。なお、図示していないが、ネット１６は一対の側面カバー１１の下方にアルミリベットによって固定されている。しかし、ネット１６の固定方法は特に限定されるものではない。
【００２５】
次に、屋根表板及び固定具について図４及び図５を用いて説明する。
図４は、本実施例に係る屋根用ブロックの屋根表板の外形図である。
図４において、屋根表板１７は、直角部１８を有したＬ字状で、全ての端部にはぜ加工が施されている。屋根表板１７の一の端部の第１のはぜ１９は上向きに折り曲げられ、一方、他の端部の第２のはぜ２０は下向きに折り曲げられており、複数の屋根表板１７を横方向に隣接して設置する際に端部同士ではぜつぎして掛止することにより固定できるようになっている。
また、この屋根表板１７は、建築物の屋根勾配に順じて積層される屋根用ブロック及び枠体の上方に設置されるものであり、屋根表板１７の屋根上部２１は一の屋根用ブロックの上面に、そして、屋根前部２２は一の屋根用ブロックの上段に設置される他の屋根用ブロックの前面に接するように載置される。したがって、一の屋根用ブロックの第３のはぜ２３は、他の屋根用ブロックの第４のはぜ２４と接し、これらのはぜをはぜつぎすることにより縦方向に隣接する複数の屋根表板１７を固定するのである。なお、この縦方向の固定では、前述の枠体のバンド釣子に設置されるフックを一緒に巻き込んで、屋根表板１７と枠体を連結するようになっている。
なお、屋根表板１７には、耐久性のある亜鉛めっき鋼板等のめっき鋼板や、塗装鋼板、合金板、アルミ板、鉛板及びチタンニウム板等の金属板を使用することができる。
【００２６】
次に、図５は、本実施例に係る屋根用ブロックの捨て板及び釣子の外形図である。
図５において、捨て板２５は、屋根表板と同様に直角部１８を有したＬ字型であり、全ての端部にはぜ加工が施されている。但し、捨て板２５では、上端及び下端のはぜは屋根表板と同様の形状であるが、両端のはぜはいずれも上向きに折り曲げられた形状になっている。捨て板２５は、屋根表板を横方向に並べて連結する際に、隣接する屋根表板の境界の下側に敷設し、漏水防止を強化するものであり、仮に捨て板２５に雨水等が滴下しても、上向きに折り曲げられた両端のはぜが雨水を塞き止め、建築用ブロックへの浸水を食い止めることができる。なお、捨て板２５の上端及び下端のはぜは、縦方向に配置される屋根表板の第３のはぜ及び第４のはぜとともにはぜつぎされて固定される。
一方、釣子２６は、両端に上向きと下向きのはぜ加工が施された細長い形状を有しており、屋根表板の屋根上部の下側に設置され、第１のはぜ及び第２のはぜとともにはぜつぎをして、横方向に隣接する屋根表板の連結を強化するものである。また、釣子２６を使用すると、熱による金属板の伸縮を考慮し、浮き上がりのない堅固な取り付けが可能となる。
なお、捨て板２５及び釣子２６の材料は、屋根表板と同様に、耐久性のある亜鉛めっき鋼板等のめっき鋼板や、塗装鋼板、合金板、アルミ板、鉛板及びチタンニウム板等の金属板が好ましい。
【００２７】
続いて、屋根用ブロックを用いた屋根について図６乃至図９を用いて説明する。
図６（ａ）は、本実施例に係る屋根用ブロックを構築する住宅の屋根部分の一部断面を示す概念図であり、（ｂ）は、同じく屋根用ブロックを構築した住宅の屋根部分の一部断面を示す概念図である。
図６（ａ）において、住宅２７は、一般的な住宅の屋根部分の構造を示しており、二本の柱２８に妻梁２９及び軒桁３０が設置され、そして、妻梁２９には、小屋束３１と二本の登り梁３２が設置されている。なお、図示していないが、登り梁３２は屋根の平面部分を覆うように複数設置されている。また、符号３３は二重梁、符号３４は棟木である。
そして、屋根用ブロックを施工するために、登り梁２８には、等間隔で地面に対して垂直方向に複数の垂木２９が設置され、また、軒桁３０の上部には台板３６が設けられている。
一方、図６（ｂ）では、複数の屋根用ブロック１がその背面側を垂木３５に固設されて、階段状に登り梁２８に載置され、屋根を形成している。なお、図示していないが、屋根用ブロック１の上面には屋根表板が捨て板及び釣子と共に設置されている。
【００２８】
ここで、屋根用ブロックの設置後の構造について図７を用いて説明する。
図７（ａ）は、本実施例に係る屋根用ブロックを住宅の屋根に構築した場合の屋根用ブロックの断面図であり、（ｂ）は、同じく屋根用ブロックを住宅の屋根に構築した場合の屋根用ブロックの上面図であり、（ｃ）は、同じく屋根用ブロックを住宅の屋根に構築した場合の屋根用ブロックの背面図である。
図７（ａ）において、屋根用ブロック１は登り梁に固設された垂木３５に固定されている。この固定には二通りの方法があり、一つは、垂木３５の上面に設置される枠体のバンドの連結孔に両頭釘３７を打ち付けることによって行われるものである。このバンドは図３に符号１２で示されるものであり、連結孔は符号１４で示されている。なお、両頭釘３７に代わって一般的な釘を用いることもできる。そして、もう一つは、屋根用ブロック１の背面側にピアノ線用フックボルト９を差込み、このピアノ線用フックボルト９に締結したピアノ線を垂木３５に打込まれた両頭釘３７あるいは釘に巻き付けることによって行われるものであり、いずれか一方の方法で固定してもよいし、二つの方法を併用してもよい。
なお、両頭釘３７は、下半分が垂木３５に打込まれ、上半分は、屋根用ブロック１の一端に載置される他の屋根用ブロックの藁本体に打込まれ、縦方向の屋根用ブロックの固定を行っている。
そして、屋根用ブロック１の上面には第１の桟木４、第２の桟木５及び第３の桟木６が設置されており、これらの桟木に接するように屋根表板１７が載置されている。前述のようにこれらの桟木の高さは屋根用ブロック１の前面になるほど低くなるように設計されているので、載置される屋根表板１７の屋根上部２１には、屋根用ブロック１の前面側に向かって低くなるような勾配がつけられる。したがって、屋根表板１７には雨水等の水が滞ることなく、屋根の下方向へ導水されるのである。
また、屋根前部２２は、屋根用ブロック１の上方に設置される他の屋根用ブロックの前面を被覆する構造になっており、屋根表板１７の第３のはぜ２３及び第４のはぜ２４は縦方向に配置される他の屋根用ブロックの屋根表板のはぜとはぜかけして固定される。
【００２９】
次に、図７（ｂ）において、屋根用ブロック１を上方からみると、前面側には点線で示す第１の桟木４、第２の桟木５及び第３の桟木６を覆うように屋根表板１７が載置され、同じく点線で示すが釣子２６が屋根表板１７の横方向のはぜつぎを強化するために屋根表板１７に敷設されている。
また、屋根用ブロック１の背面側では、横方向に設置される他の屋根用ブロックとの連結のために先端が突起状でコの字型のかすがい３８が打込まれている。
なお、図示していないが、屋根表板１７の両端には捨て板が敷設されている。
【００３０】
そして、図７（ｃ）において、屋根用ブロック１の背面側からみると、屋根用ブロック１の両側面には、側面カバー１１が接しており、屋根用ブロック１は枠体に収納されていることがわかる。そして、下段に設置される他の屋根用ブロックの枠体と垂木を固設するための複数の両頭釘３７の上半分が屋根用ブロック１の藁本体に挿入されている。また、上方では、隣接の他の屋根用ブロックとの連結用にかすがい３８が打込まれている。
このようにして、複数の屋根用ブロック、枠体及び屋根表板は互いに連結されて屋根を構成しているのである。
【００３１】
次に、屋根用ブロックを用いた屋根の外観について図８及び図９を用いて説明する。
図８は、本実施例に係る屋根用ブロックを構築した住宅の屋根部分の側面図である。
図８において、住宅２７の屋根を側面からみると、複数の屋根用ブロック１が縦横に密に設置されて屋根を形成していることがわかる。また、一部点線で示しているが、複数の登り梁３２が棟木３４と軒桁３０の長手方向において十分に間隔をおいて渡設されている。したがって、住宅２７では、天井材等の化粧板を設置していない場合は、室内から屋根部分を見上げると、複数の登り梁３２の間から屋根用ブロック１の底面、すなわち、藁本体を見ることができ、藁の芳香や質感を感じ取ることができるようになっている。前述のとおり、藁くずの落下などを防止するためには、ネットやフィルムなどでブロックの底部を覆うことが望まれる。
【００３２】
また、図９は、本実施例に係る屋根用ブロックを構築した住宅の屋根部分の外形図である。
図９において、住宅２７の屋根は、図８と同様に、複数の屋根用ブロック１が縦横に配列されて屋根を形成しており、特に、屋根が階段状になっていることが三次元的に示されている。そして、各々の屋根用ブロック１は軒方向に低くなるように傾斜がつけられているので、降雨の際に雨水が溜まることなく、確実に排水されるようになっている。
【００３３】
このように構成された本実施例においては、屋根用ブロック１は肉厚に設計されているので、断熱性及び遮音性に優れ、また、アスファルトルーフィング３の被覆により防水性が高い屋根材料となる。そして、藁を使用しているので、藁の吸湿効果により室内は調湿され、しかも、日本古来の藁葺屋根の質感を楽しむことができる。
また、桟木によって形成される屋根表板の勾配によって、雨水等を屋根に滞らせることなく、導水することが可能である。
そして、屋根用ブロックはユニット化しているので、部分的に老朽化した場合は、その部分だけを交換することが可能なので、メンテナンスが容易でしかも修復費用が安価で行える。
【実施例２】
【００３４】
続いて、本発明の実施の最良の形態に係る建築用ブロックを壁材として使用する実施例２を図１０及び図１１を参照しながら説明する。（特に請求項１及び請求項５に対応）
図１０は、本発明の本実施例に係る壁用ブロックを構築した住宅の壁部分の正面図である。
図１０において、住宅の壁３９は、複数の壁用ブロック４０が縦横に規則正しく並べられて形成されている。そして、上方の軒桁に打込まれた釘４１と下方の受材４２に打込まれた釘に締結された第１のピアノ線４３によって、壁用ブロック４０は縦方向に崩れないように固定されている。なお、この第１のピアノ線４３による固定は壁用ブロック４０の縦一列分に対して二ヶ所施されているが、設置数は特に限定されるものではない。
【００３５】
次に、図１１は、本実施例に係る壁用ブロックを構築した住宅の壁部分の断面図である。
図１１において、住宅の壁３９の断面をみると、基礎４４に固設された土台４５に垂直方向に受材４２が設けられており、この受材４２上に壁用ブロック４０が軒桁３０まで到達するまで順次積載されて壁３９が形成されている。
そして、各々の壁用ブロック４０の上面には、フックボルト４６が打込まれており、このフックボルト４６に締結された第２のピアノ線４７が軒桁３０まで延設されて軒桁３０に打込まれている六角コーチスクリュー４８に繋止されている。
なお、図中では、第２のピアノ線４７は壁用ブロック４０の内部を通って延設されているように見えるが、実際は、第２のピアノ線４７は壁用ブロック４０の上面から一旦側面側に這わされて、そして、横方向に隣接する壁用ブロック４０間を斜め方向に通って六角コーチスクリュー４８まで延設されているのである。また、図示されていないが、フックボルト４６及び第２のピアノ線４７は一個の壁用ブロックにつき二ヶ所設置されて、軒桁３０に固定されている。
したがって、壁用ブロック４０は、各々の壁用ブロック４０を軒桁３０に繋止する第２のピアノ線４７と、前述の縦方向に積載される壁用ブロックの前面に貼設される第１のピアノ線によって、建築物の構造材に固設する構造になっている。
【００３６】
ここで、壁用ブロック４０の構造について説明する。
壁用ブロック４０は、略直方体の形状で、主に藁をピアノ線で束ねた藁本体で構成されている。そして、壁用ブロック４０は、前述の図１０及び図１１のように縦横に積載されて壁が作成されるが、屋外側では、さらに、壁表部として壁用ブロック４０の表面に土を塗って土塀とするか、又は、外壁材を打ち付けて外壁が形成されるようになっている。したがって、外壁材を打ち付けて外壁が形成される場合では、壁用ブロック４０には、外壁材を固定するための桟木が設けられる。この桟木は、実施例１において説明した第１の桟木、第２の桟木及び第３の桟木と同様に、桟木用フックボルトによって壁用ブロック４０の一の面に固定される。なお、桟木の大きさは釘の打ち付けが可能であれば特に限定されない。
一方、室内側では、壁用ブロック４０の表面に化粧板を打ち付けて内壁を形成するか、又は、何も被覆しないで藁本体を露出させて壁用ブロック４０自体を内壁として使用することができる。なお、化粧板を打ち付ける場合は、外壁材を使用する場合と同様に、壁用ブロック４０の化粧板の打ち付け面には釘を固定するための桟木を設置する必要がある。
また、壁用ブロック４０にアスファルトルーフィング等の防水シートを被覆すると、藁本体の防水性が強化される。
【００３７】
このように構成された本実施例においては、肉厚な壁用ブロック４０により断熱性及び遮音性に優れた壁材を提供することができる。
また、藁を使用しているので藁の吸湿作用によって室内の湿気を除去することができる。さらに、壁用ブロック４０自体を内壁として使用すると、藁の質感や芳香を楽しむことができる。
そして、壁用ブロック４０は安価で簡単に施工することができるので、材料費及び施工費を押さえた壁材を提供することができる。
なお、上述の屋根用ブロック１及び壁用ブロックとしては、藁以外にも茅等の乾燥植物を使用してもよく、同様の効果を得ることができる。
【実施例３】
【００３８】
次に、本発明の実施の最良の形態に係る建築用ブロック用いた屋根の構築方法を実施例３として図１２を参照しながら説明する。（特に請求項６に対応）
図１２は、本発明の本実施例に係る屋根用ブロックを用いた屋根の構築方法を示すフローチャートである。
図１２において、ステップＳ１は、藁乾燥工程を示している。このステップＳ１では、刈り取られた藁を十分に乾燥させる。なお、乾燥は天日で行ってもよいし、乾燥機等を使用してもよい。
次に、ステップＳ２は、藁形成工程を示している。このステップＳ２では、ステップＳ１において乾燥させた藁を束ねてピアノ線で締結したり、接着剤などを用いて略直方体の藁本体を形成する。
そして、ステップＳ３は、アスファルトルーフィング被覆工程を示している。このステップＳ３では、ステップＳ２において略直方体に形成された藁本体の上面と前面にアスファルトルーフィングを被覆する。なお、アスファルトルーフィングは藁本体の上面と前面だけでなく、さらに背面を被覆しても、あるいは全面を被覆してもよい。
続いて、ステップＳ４は、桟木設置工程を示している。このステップＳ４では、ステップＳ３において藁本体の上面に被覆されたアスファルトルーフィングの上面に三本の桟木を設置して、屋根用ブロックを作成する。なお、三本の桟木は、各々高さを変えて作成し、藁本体の前面から順々に高くなるように設置する。また、これらの桟木と藁本体の固定にはフックボルトを使用する。
そして、ステップＳ５はピアノ線設置工程を示している。このステップＳ５では、藁本体の背面側の二ヶ所に二本のフックボルトを打込み、そして、これらのフックボルトにピアノ線を締結する。なお、このピアノ線は後述の屋根用ブロックの固定に使用するものである。
【００３９】
ステップＳ６は、垂木設置工程を示している。このステップＳ６では、建築物の登り梁に複数の垂木を登り方向に順次渡設する。なお、垂木は、地面に対して垂直でかつ登り梁に立つように設置し、また、設置位置は屋根用ブロックの幅に合わせる。
また、ステップＳ７は、台板設置工程を示している。このステップＳ７では、最下段となる屋根用ブロックを載置するための台板を登り梁の下端に固設する。
【００４０】
次に、ステップＳ８は、枠体設置工程を示している。このステップＳ８では、ステップＳ６において設置された垂木に屋根用ブロックの枠体を設置する。枠体は屋根用ブロックの側面を覆う一対の側面カバーと、この側面カバーの上方に跨設される連結孔を備えたバンドとバンド釣子によって構成されている。枠体の垂木への設置は、枠体のバンドを垂木の上面に載置して連結孔に釘を打込むことによって行われる。なお、一本の垂木には横方向に設計に応じた個数の枠体を設置し、そして、登り方向に立位する垂木に順次枠体を取り付ける。
【００４１】
続いて、ステップＳ９は、屋根用ブロック配置工程を示している。このステップＳ９では、ステップＳ８において設置された枠体の内部に屋根用ブロックを配置する。なお、屋根用ブロックはステップＳ３において被覆されたアスファルトルーフィングが前面になり、また、ステップＳ４において設置された桟木が上面になるように枠体内に収納する。
ステップＳ１０は、屋根用ブロックの固設工程を示している。このステップＳ１０では、ステップＳ５において設置されたピアノ線を、ステップＳ８において枠体を固定した釘に巻きつけて垂木に屋根用ブロックを固定する。
【００４２】
そして、ステップＳ１１は、屋根表板の横方向のはぜつぎ工程を示している。このステップＳ１１では、ステップＳ１０において固設された屋根用ブロックの上面に屋根表板を載置し、横方向の屋根表板のはぜつぎを行う。横方向のはぜつぎでは、まず、隣接する屋根用ブロックの境界の上面に捨て板を載置し、そして、屋根表板の下側に釣子をかましながら、屋根表板の端部に施されるはぜを隣接する屋根表板同士掛け合わしながら固定していく。なお、捨て板及び屋根表板は、屋根用ブロックを収納する枠体に正確に合わせて載置してはぜつぎする。
最後に、ステップＳ１２は、屋根表板の縦方向のはぜつぎ工程を示している。このステップＳ１２では、ステップＳ１１において行われた屋根表板の横方向のはぜつぎによる固定に加えて、屋根表板を縦方向にはぜつぎして固定する。縦方向のはぜつぎは、まず、屋根表板の前端部に施されるはぜと、この屋根表板の下段に設置される屋根表板の後端部に施されるはぜと、さらに、屋根表板の前端部に接する枠体のバンド釣子のフックを一緒に折り曲げて固定する。このように枠体を屋根表板とともにはぜつぎするので、枠体は屋根表板と垂木によって前後方向に堅固に固定される。
なお、屋根表板のはぜつぎは、下段から順次登り方向に行うと、固定された屋根用ブロック及び屋根表板によって足場が安定するので安全に作業できる。
【００４３】
このように構成された本実施例においては、防水性、断熱性、遮音性及び吸湿性に優れた屋根用ブロックを部品化し、この部品を使用して屋根を構築するので、施工が容易であり、工期が短縮できる。
また、部分的な修復が可能であるので、メンテナンスが容易な上に、メンテナンスに要する費用を低減できる。
そして、屋根用ブロックを軒先から登り方向に設置していくので、足場が安定し、屋根用足場を別個に設置する必要がない。また、階段状なので作業者が滑り落ちる危険が少なくなっている。
【実施例４】
【００４４】
最後に、本発明の実施の最良の形態に係る建築用ブロック用いた壁の構築方法を実施例４として図１３を参照しながら説明する。（請求項７に対応）
図１３は、本発明の本実施例に係る壁用ブロックを用いた壁の構築方法を示すフローチャートである。
なお、本実施例の図１３におけるステップＳ１及びステップＳ２は、前述の実施例３において説明した図１２に示す工程と同様であるので、その説明は省略する。
図１３において、ステップＳ３は、アスファルトルーフィング被覆工程を示している。このステップＳ３では、ステップＳ２において略直方体に形成された藁本体にアスファルトルーフィングを被覆する。なお、アスファルトルーフィングの被覆は藁本体の全面に施すと防水性が強化されるが、被覆面は特に限定されない。また、アスファルトルーフィングを被覆しなくてもよく、この場合、ステップＳ３は省略する。
そして、ステップＳ４は、桟木設置工程を示している。このステップＳ４では、藁本体の一の側面或いは両側面に桟木を設置して、壁用ブロックを作成する。これらの桟木は後述の内壁材及び外壁材を釘打ちするためのものであり、内壁材及び外壁材の設置の有無に合わせて桟木の設置面を決定する。なお、内壁材及び外壁材の両方を設置しない場合は、ステップＳ４は省略する。また、これらの桟木は釘打ちが可能であればよく、その大きさや設置数は特に限定されるものではない。
続いて、ステップＳ５は、第１のピアノ線設置工程を示している。このステップＳ５では、藁本体の上面側の二ヶ所に二本のフックボルトを打込み、そして、これらのフックボルトに第１のピアノ線を締結する。なお、このピアノ線は後述の壁用ブロックの吊設に使用するものである。
【００４５】
次に、ステップＳ６は、受板設置工程を示している。このステップＳ６では、建築物の土台に壁用ブロックを設置するための受板を設置する。この受板の大きさは設置する壁用ブロックの大きさに合わせて決定する。
ステップＳ７は、壁用ブロック積載工程を示している。このステップＳ７では、まず、ステップＳ６において設置された受板の上面に壁用ブロックを横方向に載置し、そして、順々に壁用ブロック縦方向に積み上げていく。
ステップＳ８は、壁用ブロック吊設工程を示している。このステップＳ８では、壁用ブロックを建築物の軒桁に吊設する。まず、壁用ブロックを吊設する軒桁に釘を打込んでおき、そして、ステップＳ７において積載された各々の壁用ブロックから、ステップＳ５において設置された第１のピアノ線を引き出して軒桁の釘に巻き付けて吊設するのである。
なお、ステップＳ８は、ステップＳ７の壁用ブロック積載工程と組み合わせて交互に行うと、壁用ブロックは崩れることなく、積載と固定が効率よく行うことができる。
そして、ステップＳ９は、第２のピアノ線設置工程を示している。このステップＳ９では、ステップＳ７において積載された壁用ブロックの縦方向の固定を行う。すなわち、縦一列分の壁用ブロックに対して二本の第２のピアノ線を軒桁と受板に打込まれた釘に巻き付けることによって壁用ブロックを支持し、縦方向に崩れるのを防止する。
【００４６】
続いて、ステップＳ１０は、内壁設置工程を示している、このステップＳ１０では、ステップＳ７乃至ステップＳ９において積載並びに固定されて形成された壁の室内側に内壁を設置する。設置する内壁の種類は特に限定されないが、化粧板等の板材の場合は、ステップＳ４において設置された桟木に釘打ちして設置する。なお、ステップＳ１０を省略して内壁は設置しなくてもよく、この場合、壁用ブロックの藁が壁として室内に露出し、藁の質感と芳香を楽しむことができる。
最後に、ステップＳ１１は、外壁設置工程を示している。このステップＳ１１では、ステップＳ７乃至ステップＳ９において積載並びに固定されて形成された壁の屋外側に外壁を設置する。ステップＳ１０の内壁の場合と同様に、設置する外壁の種類は特に限定されず、壁表部として板材を採用する場合は、ステップＳ４において設置された桟木に釘打ちして設置する。また、壁表部として土を塗って土塀を設置する場合には、ステップＳ４を省略してこのステップＳ１１で土を塗ることもできる。
【００４７】
このように構成された本実施例においては、防水性、断熱性、遮音性及び吸湿性に優れた壁用ブロックを部品化し、この部品を下から順次積載し固定することにより壁を構築するので、施工が安全かつ容易であり、工期を短縮できる。
【産業上の利用可能性】
【００４８】
以上説明したように、本発明の請求項１乃至請求項７に記載された発明は、防水性、断熱性、遮音性及び吸湿性に優れた建築用ブロックとこの建築用ブロックの作用を奏する屋根及び壁と、さらに、これらの屋根及び壁の簡単かつ安全な構築方法を提供可能であり、一般住宅を始め、レジャー施設等あらゆる建築物に使用可能である。
【図面の簡単な説明】
【００４９】
【図１】本発明の本実施例に係る屋根用ブロックの外形図である。
【図２】（ａ）は本実施例に係る屋根用ブロックの上面図であり、（ｂ）は同じく屋根用ブロックの断面図である。
【図３】本実施例に係る屋根用ブロックの枠体の外形図である。
【図４】本実施例に係る屋根用ブロックの屋根表板の外形図である。
【図５】本実施例に係る屋根用ブロックの捨て板及び釣子の外形図である。
【図６】（ａ）は本実施例に係る屋根用ブロックを構築する住宅の屋根部分の一部断面を示す概念図であり、（ｂ）は同じく屋根用ブロックを構築した住宅の屋根部分の一部断面を示す概念図である。
【図７】（ａ）は本実施例に係る屋根用ブロックを住宅の屋根に構築した場合の屋根用ブロックの断面図であり、（ｂ）は同じく屋根用ブロックを住宅の屋根に構築した場合の屋根用ブロックの上面図であり、（ｃ）は同じく屋根用ブロックを住宅の屋根に構築した場合の屋根用ブロックの背面図である。
【図８】本実施例に係る屋根用ブロックを構築した住宅の屋根部分の側面図である。
【図９】本実施例に係る屋根用ブロックを構築した住宅の屋根部分の外形図である。
【図１０】本発明の本実施例に係る壁用ブロックを構築した住宅の壁部分の正面図である。
【図１１】本実施例に係る壁用ブロックを構築した住宅の壁部分の断面図である。
【図１２】本発明の本実施例に係る屋根用ブロックを用いた屋根の構築方法を示すフローチャートである。
【図１３】本発明の本実施例に係る壁用ブロックを用いた壁の構築方法を示すフローチャートである。
【符号の説明】
【００５０】
１…屋根用ブロック  ２…藁本体  ３…アスファルトルーフィング  ４…第１の桟木  ５…第２の桟木  ６…第３の桟木  ７…桟木用フックボルト  ８…ピアノ線  ９…ピアノ線用フックボルト  １０…枠体  １１…側面カバー  １２…バンド  １３…バンド釣子  １４…連結孔  １５…フック  １６…ネット  １７…屋根表板  １８…直角部  １９…第１のはぜ  ２０…第２のはぜ  ２１…屋根上部  ２２…屋根前部  ２３…第３のはぜ  ２４…第４のはぜ  ２５…捨て板  ２６…釣子  ２７…住宅  ２８…柱  ２９…妻梁  ３０…軒桁  ３１…小屋束  ３２…登り梁  ３３…二重梁  ３４…棟木  ３５…垂木  ３６…台板  ３７…両頭釘  ３８…かすがい  ３９…壁  ４０…壁用ブロック  ４１…釘  ４２…受材  ４３…第１のピアノ線  ４４…基礎  ４５…土台  ４６…フックボルト  ４７…第２のピアノ線  ４８…六角コーチスクリュー
【図１】
2005188198.tif 000003
【図２】
2005188198.tif 000004
【図３】
2005188198.tif 000005
【図４】
2005188198.tif 000006
【図５】
2005188198.tif 000007
【図６】
2005188198.tif 000008
【図７】
2005188198.tif 000009
【図８】
2005188198.tif 000010
【図９】
2005188198.tif 000011
【図１０】
2005188198.tif 000012
【図１１】
2005188198.tif 000013
【図１２】
2005188198.tif 000014
【図１３】
2005188198.tif 000015